(57)【特許請求の範囲】
【請求項１】
第１のケースと第２のケースを組み合わせて成る箱体と、
前記箱体に内蔵される電気回路ユニットと、
前記電気回路ユニットと他の装置を電気的に接続するためのコネクタと、
前記コネクタを保持するコネクタ保持板と、
前記コネクタ保持板を前記箱体に固定するための固定ネジとを備え、
前記第１のケースに前記第１のケースに前記第２のケースの係止部と係合するフック部を設け、前記第１のケースと前記第２のケースを係合させ、前記固定ネジと前記コネクタ保持板により、前記第１のケースと前記第２のケースのそれぞれの一部を挟持し、前記固定ネジを前記コネクタ保持板にネジ止めすることにより、前記第１のケースと前記第２のケースを締結する構成を備え、
前記コネクタ及び前記コネクタ保持板と前記電気回路ユニットをフレキシブルプリントサーキットで接続し、
前記コネクタ保持板は、前記電気回路ユニットのグランドラインに接続されていることを特徴とする小型電子機器。
【発明の詳細な説明】
【０００１】
【発明の属する技術分野】
本発明は、ノートパソコンに外部接続されるフロッピーディスクドライブ装置（以下ＦＤＤと称する）などの小型電子機器に関するものである。
【０００２】
【従来の技術】
従来、ノートパソコンの外部ＦＤＤのように、情報処理装置などの機能拡張のため接続される小型電子機器は、電気回路ユニット（ＦＤＤの場合はＦＤＤユニット）を埃や衝撃から保護したり、外観上のため、一般に樹脂成形品の外装ケースに電気回路ユニットを内蔵し、情報処理装置に接続するためのケーブルが取り付けられていた。
【０００３】
以下、従来の小型電子機器であるＦＤＤについて図を用いて説明する。
図３はＦＤＤの内部の構造を示す平面図、図４は断面図である。図において、１１は上ケース、１２は下ケースでいずれも樹脂成形品であり、図４に示すように、爪部１１ａが開口部１２ａと係合し、箱体を形成する。１３は内蔵されるＦＤＤユニットで、１３ａはフロッピーディスクが挿入される前部、１３ｂはＦＤＤユニット１３から引き出されるフラットケーブルで、中継基板１４のコネクタ１４ａに接続される。中継基板１４には、ケーブル１５に接続するコネクタ１４ｂも実装されており、コネクタ１４ａに回路パターン（図示せず）で接続されている。また、ケーブル１５はノートパソコン（図示せず）に接続するためのプラグ１５ａを有しており、反対側はリード線１５ｂが剥き出しにされている。そして、１６はケーブル保持板、１７は固定ネジである。
【０００４】
組立方法としては、まず、下ケース１２にＦＤＤユニット１３、中継基板１４を配置した後、中継基板１４を固定ネジ１７によってケーブル保持板１６とともに下ケース１２のボス（図示せず）に取り付ける。そして、フラットケーブル１３ｂをコネクタ１４ａに接続する。次に、ケーブル１５のリード線１５ｂをコネクタ１４ｂに接続するとともに、ケーブル保持板１６によりケーブル１５を保持し、固定ネジ１７によって下ケース１２のボス（図示せず）に取り付ける。その後、下ケース１２に上ケース１１を重ね、複数箇所の爪部１１ａを開口部１２ａと係合し締結する。
【０００５】
なお、上ケースと下ケースの締結方法としては、爪部の係合による他、図５に示すように、上ケース２１のボス２１ａに金属製のインサートナット２１ｂを上ケース２１に溶着し、下ケース２２を固定ネジ２３によってネジ止めし締結することも行われていた。
【０００６】
【発明が解決しようとする課題】
最近のノートパソコン等に対して、携帯等の目的のため、小型軽薄化の要求は非常に高くなっているが、パソコン本体のみならず外部ＦＤＤに代表される小型電子機器に対しても小型軽薄化の要求が増えてきている。一方、製品のリサイクルが法令化され、部品の再利用や材料の分別のみならず、製品の分解性も重視されてきている。このため、小型軽量化と、材料の分別、製品の分解性の向上は今後の重要な設計要素となっている。しかし、上述の従来のＦＤＤのような爪部の係合による構成をとる場合、機器の小型化には非常に優れたものであるが、分解するために、上ケースと下ケースを分離するには、複数箇所の爪の係合を外す必要があった。ところが、マイナスドライバーのようなへら状のもので爪を押しつつ、上ケースと下ケースを引き離さなければならないため、分解が容易ではなかった。且つ、分解時の爪の破損や変形もあり、分解後の部品の再利用に対しても不適格であった。また、金属製のインサートナットによるネジ止めの場合は、インサートナットが樹脂ケースに溶着されている為、材料の分離が容易には行えず、また、上下ケースの固定を上下方向のネジ締結で行う為、爪部による係合に比べ、平面的、すなわち機器の横幅又は奥行き方向で、締結用のスペースが必要となり、機器の小型化には不適格であった。
【０００７】
本発明はノートパソコンの外部ＦＤＤのような小型電子機器において、小型化による携帯性の向上を図りつつ、材料の分別や分解性と言った製品のリサイクル性の向上を目的とする。
【０００８】
【課題を解決するための手段】
この課題を解決するために本発明の小型電子機器は、第１のケースと第２のケースを組み合わせて成る箱体と、前記箱体に内蔵される電気回路ユニットと、前記電気回路ユニットと他の装置を電気的に接続するためのコネクタと、前記コネクタを保持するコネクタ保持板と、前記コネクタ保持板を前記箱体に固定するための固定ネジとを備え、前記第１のケースに前記第１のケースに前記第２のケースの係止部と係合するフック部を設け、前記第１のケースと前記第２のケースを係合させ、前記固定ネジと前記コネクタ保持板により、前記第１のケースと前記第２のケースのそれぞれの一部を挟持し、前記固定ネジを前記コネクタ保持板にネジ止めすることにより、前記第１のケースと前記第２のケースを締結する構成を備え、前記コネクタ及び前記コネクタ保持板と前記電気回路ユニットをフレキシブルプリントサーキットで接続し、前記コネクタ保持板は、前記電気回路ユニットのグランドラインに接続されているようにしたものである。
【０００９】
これにより、インサートナットが不要、かつ爪部による締結を行わないため、分解が容易で、小型軽量化を図りつつ、材料の分別や分解性と言った製品のリサイクル性の向上をも図ることができる。
【００１０】
【発明の実施の形態】
本発明の小型電子機器は、第１のケースと第２のケースを組み合わせて成る箱体と、前記箱体に内蔵される電気回路ユニットと、前記電気回路ユニットと他の装置を電気的に接続するためのコネクタと、前記コネクタを保持するコネクタ保持板と、前記コネクタ保持板を前記箱体に固定するための固定ネジとを備え、前記第１のケースに前記第２のケースの係止部と係合するフック部を設け、前記第１のケースと前記第２のケースを係合させ、前記固定ネジと前記コネクタ保持板により、前記第１のケースと前記第２のケースのそれぞれの一部を挟持し、前記固定ネジを前記コネクタ保持板にネジ止めすることにより、前記第１のケースと前記第２のケースを締結する構成を備え、前記コネクタ及び前記コネクタ保持板と前記電気回路ユニットをフレキシブルプリントサーキットで接続し、前記コネクタ保持板は、前記電気回路ユニットのグランドラインに接続されている構成であるため、インサートナットの使用や爪部による締結を行わないため、小型軽量化を図りつつ、材料の分別や分解性と言った製品のリサイクル性の向上をも図ることができる共に、コネクタ保持板によりコネクタ部の不要輻射を低減できるという作用を有する。
【００１１】
上述の小型電子機器において、コネクタの代わりに電気回路ユニットと他の装置を電気的に接続するためのケーブル、コネクタ保持板の代わりに前記ケーブルを保持するケーブル保持板とした構成であっても同様の作用を有する。
【００１２】
上記何れかの構成を備える小型電子機器において、第１のケースと第２のケースにはそれぞれ円筒形状の孔が設けられ、前記孔を固定ネジが重ねて貫通し、コネクタ保持板またはケーブル保持板にネジ止めする構成の場合には、第１のケースと第２のケースを重ねることにより共通のネジで固定でき、かつ孔をネジが円筒形状の孔を貫通するため、固定ネジが少し緩んでも両ケースが分離することを抑制することができる。
【００１３】
以下、本発明の実施の形態について、図を用いて説明する。
（実施の形態１）
図１は本発明の一実施の形態の小型電子機器であるＦＤＤの内部の構造を示す平面図、図２は分解した状態の側面図である。図において、１は上ケース、２は下ケースでいずれも樹脂成形品であり、図２に示すように、上ケース１のフロッピーディスク挿入側にはフック部１ａ、反対側に円筒形状の孔１ｂ、下ケース２のフロッピーディスク挿入側には係止部２ａ、反対側に円筒形状の孔２ｂが設けられ、フック部１ａと係止部２ａを係合することによって箱体を形成する。このとき、孔１ｂと孔２ｂは重なった位置になる。３は内蔵されるＦＤＤユニットで、３ａはフロッピーディスクが挿入される前部、３ｂはコネクタである。また、４は接続ケーブル５のコネクタ５ａが接続されるコネクタで、ＦＰＣ６に実装されるとともに金属製のコネクタ保持板７がネジ８で一体に取り付けられている。また、ＦＰＣ６にはＦＤＤユニット３のグランドラインにつながるグランドパターン６ａが設けられ、コネクタ４がコネクタ保持板７に取り付けられるときに挟み込まれ、コネクタ保持板７と電気的に導通するようになっている。コネクタ保持板７にはメネジ部７ａが設けられており、固定ネジ９がネジ止めできるようになっている。なお、接続ケーブル５のコネクタ５ａの反対側にはノートパソコン（図示せず）に接続するためのプラグ５ｂが設けられている。
【００１４】
以上のように構成されたＦＤＤについて、その組立方法について説明する。
まず、コネクタ４等が取り付けられたコネクタ保持板７とＦＤＤユニット３のコネクタ３ｂをＦＰＣ６で接続し、これらを下ケース２に組み込む。そして、上ケース１のフック部１ａと下ケース２の係止部２ａを係合させるとともに、孔１ｂと孔２ｂとを重ね合わせ、箱体を形成する。その後、固定ネジ９を孔１ｂと孔２ｂに貫通させ、コネクタ保持板７のメネジ部７ａにネジ止めする。このとき、固定ネジ９によって、上ケース１と下ケース２の一部が重なって締結される。その後、接続ケーブル５のコネクタ５ａをコネクタ４に接続し組み立てが完了する。
【００１５】
分解する場合はこの逆、すなわち固定ネジ９を外すだけで、容易に分解することが可能である。
【００１６】
本実施の形態において、上ケース１の孔１ｂと下ケース２の孔２ｂは円筒形状の孔を固定ネジ９が貫通しているため、上ケース１と下ケース２を共通のネジで固定することができ、固定ネジ９が少し緩んでも分離することはない。
【００１７】
また、ＦＰＣ６のグランドパターン６ａがコネクタ保持板７と電気的に導通しており、ＦＤＤユニット３のグランドラインと接続されるため、コネクタ保持板７によってコネクタ４部の不要輻射も低減することができる。
【００１８】
このように、本実施の形態では、上ケースと下ケースの組み立てに当たって、フック部による係合と、コネクタ保持板とネジの間に両ケースを挟み込んで同時にネジ止めするため、金属製のインサートナットも必要とせずスペースが少なくて済み、また、爪部のみの固定に比べ分解が容易である。
【００１９】
なお、本実施の形態では、接続ケーブルを分離し、コネクタ接続としたため、コネクタ保持板に固定ネジをネジ止めしたが、接続ケーブルを分離せず、ＦＤＤから直接引き出す場合は、ケーブルを保持するケーブル保持板とし、本実施の形態のコネクタ保持板に代えて使用しても同様の効果が得られる。
【００２０】
【発明の効果】
以上のように本発明によれば、ノート型パソコンの外部ＦＤＤのような小型電子機器において、小型化による携帯性の向上を図りつつ、材料の分別や分解性と言った製品のリサイクル性の向上を図ることができ、組み立ての合理化を図ることができるという有利な効果が得られる。
【図面の簡単な説明】
【図１】  本発明の一実施の形態のＦＤＤの内部の構造を示す平面図
【図２】  本発明の一実施の形態のＦＤＤを分解した状態の側面図
【図３】  従来のＦＤＤの内部の構造を示す平面図
【図４】  従来のＦＤＤの断面図
【図５】  従来のＦＤＤの断面図
【符号の説明】
１  上ケース
１ａ  フック部
１ｂ  孔
２  下ケース
２ａ  係止部
２ｂ  孔
３  ＦＤＤユニット
４  コネクタ
５  接続ケーブル
６  ＦＰＣ
７  コネクタ保持板
９  固定ネジ
【図１】
0004096417.tif 000002
【図２】
0004096417.tif 000003
【図３】
0004096417.tif 000004
【図４】
0004096417.tif 000005
【図５】
0004096417.tif 000006